(57)【要約】【課題】  ノベルティを無償配布した企業に関するホームページの閲覧を極めて容易に行うことができ、大きな宣伝効果を期待することができるノベルティを提供する。【解決手段】  企業が宣伝を目的として無償配布するノベルティであって、前記企業に関するホームページサーバーのＵＲＬを記憶した記憶手段と、該記憶手段に記憶したＵＲＬを、パソコン、ＰＤＡ、携帯電話等のホームページ閲覧機能を有する情報機器に伝送する伝送手段とを一体的に備えているノベルティである。【選択図】  図１
2005202777.tif 000002
【特許請求の範囲】
【請求項１】
企業が宣伝を目的として無償配布するノベルティであって、前記企業に関するホームページサーバーのＵＲＬを記憶した記憶手段と、該記憶手段に記憶したＵＲＬをホームページ閲覧機能を有する情報機器に伝送する伝送手段とを一体的に備えていることを特徴とするノベルティ。
【発明の詳細な説明】
【技術分野】
【０００１】
本発明は、ノベルティに関し、詳しくは、宣伝会場、商品フェア、技術フェア等の会場や街頭で、企業が宣伝の目的で配布するノベルティに関する。
【背景技術】
【０００２】
従来から、宣伝会場や街頭において、宣伝のための様々なノベルティを無償で配布することが行われており、近年は、企業名や商品名だけでなく、これらに関するホームページサーバーのＵＲＬを記載することが多くなってきている。しかし、ＵＲＬを単に印刷しただけでは、該当するホームページを閲覧する際にノベルティに記載されたＵＲＬをキーボード等から入力する必要があり、面倒で手間がかかるものであった。このため、光学的文字読み取り機能（ＯＣＲ機能）を付加して印刷されたＵＲＬを読み込めるようにした携帯電話端末等が提案されている（例えば、特許文献１参照。）。
【特許文献１】特開２００２−２５２６９１号公報
【発明の開示】
【発明が解決しようとする課題】
【０００３】
しかし、上述のものは、携帯電話等が備えている機能の一部を利用するものであり、ノベルティに印刷されているＵＲＬを単に文字として認識するだけのものである。このような手段は、ノベルティを受け取った客がホームページを閲覧する際の手間を多少は軽減できるが、未だ十分なものとはいえない。
【０００４】
そこで本発明は、ノベルティを無償配布した企業に関するホームページの閲覧を極めて容易に行うことができ、大きな宣伝効果を期待することができるノベルティを提供することを目的としている。
【課題を解決するための手段】
【０００５】
上記目的を達成するため、本発明のノベルティは、企業が宣伝を目的として無償配布するノベルティであって、前記企業に関するホームページサーバーのＵＲＬを記憶した記憶手段と、該記憶手段に記憶したＵＲＬをホームページ閲覧機能を有する情報機器に伝送する伝送手段とを一体的に備えていることを特徴としている。
【発明の効果】
【０００６】
本発明のノベルティによれば、記憶手段に記憶したＵＲＬを、パソコン、ＰＤＡ、携帯電話等のホームページ閲覧機能を有する情報機器に直接伝送することにより、ノベルティを無償配布した企業に関するホームページを簡単に閲覧することができる。また、記憶したＵＲＬに、特定の情報を付加しておくことにより、ノベルティ配布場所や時間等の特定も可能である。さらに、ノベルティとして、例えばボールペンのように客が常に携帯するような物品を選定することにより、ノベルティを受け取った客だけでなく、周囲の人に対する宣伝効果も期待できる。加えて、ＵＲＬの定めるページに、客の氏名や会社名、メールアドレス、住所等の情報を入力することにより、画像、音楽、文書等の特典情報やデータを取得できるように設定しておけば、客自身が積極的にこれらを入力するとともに、企業側では、入力された情報に基づいて顧客管理等を行うことができる。
【発明を実施するための最良の形態】
【０００７】
図１は本発明のノベルティとして筆記具を選定したときの情報伝達システムの一例を示す説明図である。ノベルティとして選定された筆記具、例えばボールペン１１には、ノベルティを無償配布した企業に関するホームページサーバーのＵＲＬを記憶する記憶手段としてのメモリ１２と、該メモリ１２に記憶したＵＲＬをパソコン、ＰＤＡ、携帯電話等に伝送するための伝送手段としての送信部１３とが一体的に組み込まれている。
【０００８】
メモリ１２は、一般に用いられているＲＯＭやＩＣチップ等を使用することができ、メモリ１２へのＵＲＬを含む情報の入力も、従来と同様に行うことができる。また、送信部１３は、パソコン、ＰＤＡ、携帯電話等の情報機器１４にデータ送信を行えるものならば任意の手段を採用することができる。
【０００９】
例えば、メモリ１２には、該メモリ１２を構成する半導体集積回路の製造段階や製造後に外部からIｒＤＡ、電磁波等の電気的な手段でノベルティ配布前にあらかじめ予めＵＲＬデータを書き込んでおき、適当な電源からメモリ１２及び送信部１３に電力が印加されたときにメモリ１２に記憶したＵＲＬデータを、送信部１３からパソコン、ＰＤＡ、携帯電話等の情報機器１４に送信するように形成しておく。送信部１３からの送信方法は、ＩｒＤＡあるいは無線ネットワークによる方法、ＵＳＢ端子を経由する方法等を用いることができる。なお、電源としては、ノベルティ自体にバッテリーや太陽電池を搭載してもよく、ＵＳＢ端子から電源を供給されるようにしてもよい。
【００１０】
このようなメモリ１２及び送信部１３を備えたノベルティであるボールペン１１は、宣伝会場、商品フェア、技術フェア等のイベント会場あるいは街頭で、企業が宣伝の目的で客に無償で配布される。ボールペン１１を配布された客は、客の所有、専有あるいは共有するパソコン、所有あるいは専有する携帯電話又はＰＤＡの情報機器１４に、ＩｒＤＡ、ＵＳＢ等の通信方式でメモリ１２に書き込まれたＵＲＬを取り込む。このＵＲＬの示すＷｅｂサイトのホームページ１５にインターネットを経由して接続し、このページに有る画像、音楽あるいは文書データを特典としてインターネット経由でダウンロードしたり、あるいは、郵送や宅配便等の手段で特典物の配布を申し込む。
【００１１】
一方、ノベルティを配布した企業のホームページ管理部門１６は、客のパソコン、ＰＤＡ、携帯電話等からホームページサーバーに接続されたとき、ホームページサーバーが客の電子的なアドレスを知り、このアドレスに向けてメールアドレス、氏名、所属等の問い合わせが可能になる。客自体がフェア等の会に自ら出向いている場合には、客のニーズが予め絞り込まれているため、問い合わせの回答率は高く、以後は各顧客に合わせてテーマを絞った情報提供や商品提供が可能になる。
【００１２】
また、ホームページに設定された前記特典を電子的にダウンロードする際に顧客のメールアドレスを取得したり、郵送や宅配便等の送付に必要な住所氏名情報を取得したりすることもできる。このようにして取得した顧客情報は、今後の調査、宣伝、営業等の対象とすることができる。例えば、得られたメールアドレスや住所氏名に基づいて顧客情報の調査を行う。この調査情報を基に個々の顧客特性に合わせた商品の提示を行うｏｎｅ  ｔｏ  ｏｎｅ商法の展開あるいは顧客からの情報を基にして商品企画を行うことにより、各顧客のニーズに適した企業運営を行える。
【００１３】
すなわち、ノベルティを配布する企業あるいは組織は、製品あるいはサービスの宣伝だけでなく、その製品あるいはサービスに興味を持つ顧客に絞った母集団の顧客情報を得ることで、顧客に合わせて製品あるいはサービスの提供と販売あるいは商品企画を効率的に行うことができる。
【００１４】
なお、メモリ１２及び送信部１３のような電子回路を組み込んだノベルティとなる品物は、文房具等の日常身の回りに有ると便利な品物本体かその付属部品、あるいは、ノベルティを配布するイベントの象徴となる品物であることが望ましい。また、メモリ１２に、ＵＲＬとともにキーワード等の各種情報を付加しておくことにより、配布場所、配布日時等に応じた特定のホームページの閲覧や特典の開示を行うことができ、企業側からは、配布状況に応じた宣伝効果の確認もできる。
【図面の簡単な説明】
【００１５】
【図１】本発明のノベルティを使用した情報伝達システムの一例を示す説明図である。
【符号の説明】
【００１６】
１１…ノベルティ（ボールペン）、１２…メモリ、１３…送信部、１４…情報機器、１５…ホームページ、１６…ホームページ管理部門
【図１】
2005202777.tif 000003